(57)【要約】表示装置（1）は、ルミネッセント表示スクリーン（15）と、電子を表示スクリーン（15）の方に誘導する手段とを有する。前記手段は少なくとも3枚のプレート（36、41、42）の配置を有し、中央プレート（36）は選択開口と、選択開口と対応した選択電極とを有する。選択開口、選択電極およびプレートは、電子源からの電子電流がエレクトロルミネッセントスクリーンの方に進行し、中央プレートの開口を選択的に通過して、中央プレートの反対側で交互に誘導されるように配置される。作動時にトンネル防止電位が印加されるリーク防止層（44、eg）がプレート上に提供され、このプレート配置によって、中央プレートと隣接プレート間の隙間を通る電子のリークが防止される。
2006503412.tif 000002
【特許請求の範囲】
【請求項１】
内側にエレクトロルミネッセント表示スクリーンが設置された真空外囲器を有する表示装置であって、
前記真空外囲器は少なくとも、
電子を放出する電子源と、
前記電子を前記表示スクリーンの方に誘導する誘導手段と、
を有し、
前記誘導手段は、
電子輸送導管のネットワークを定形する少なくとも3枚のプレートの配置であって、該配置のうちの中央プレートは選択開口を備える、少なくとも3枚のプレートの配置と、
選択電圧の印加のため、前記選択開口とつなげられた選択電極と、
を有し、
前記誘導手段は、前記電子が前記選択開口を選択的に通過して、前記中央プレートの反対の側に交互に誘導されるように配置され、
前記配置のプレートには、作動時に電位を印加するためのリーク防止層が設けられ、前記電位は、前記中央プレートと隣接プレート間の電子のトンネル化を防止することを特徴とする、表示装置。
【請求項２】
前記リーク防止層は、パッシブなリーク防止層によって形成されることを特徴とする請求項1に記載の表示装置。
【請求項３】
前記プレート同士の対向面において、電子輸送の生じない位置には、二次電子放射係数が1よりも小さい非導電性コーティングが設けられることを特徴とする請求項2に記載の表示装置。
【請求項４】
前記選択電極の少なくともいくつかは、少なくとも一部を絶縁材料で被覆されることを特徴とする請求項2に記載の表示装置。
【請求項５】
全ての選択電極は、少なくとも一部を絶縁材料で被覆されることを特徴とする請求項4に記載の表示装置。
【請求項６】
前記リーク防止層は、アクティブなリーク防止層によって形成されることを特徴とする請求項1に記載の表示装置。
【請求項７】
前記選択電極の少なくともいくつかは、リーク防止層として機能するように配置されることを特徴とする請求項6に記載の表示装置。
【発明の詳細な説明】
【技術分野】
【０００１】
本発明は、内側にエレクトロルミネッセント表示スクリーンが設置された真空外囲器を有する表示装置に関する。当該表示装置において、前記真空外囲器は少なくとも、電子源と、前記表示スクリーンの方に前記電子を誘導する誘導手段とを有し、前記誘導手段は、分岐された電子導管の配置を有し、当該表示装置は、少なくとも3枚のプレートの配置を有し、該少なくとも3枚のプレートの配置のうちの中央プレートは、選択開口と、選択電圧の印加のため前記選択開口とつなげられた選択電極とを有し、選択開口、選択電極およびプレートは、前記電子電流が、前記中央プレートの前記開口を選択的に通過して、前記中央プレートの反対の側に交互に誘導されて、前記電子源から前記エレクトロルミネッセントスクリーンまで進行するように配置される。
【背景技術】
【０００２】
そのような装置の実施例は、米国特許第5,781,166号明細書に示されている。従来の表示装置では、電子源（例えばワイヤーカソード）とカソードルミネッセントスクリーン間の電子輸送は、電子輸送導管によって行われる。電子は、輸送導管を横断する電圧の印加によって、導入部から出口に輸送される。
【０００３】
電子輸送機構を簡単に説明すると、輸送導管の壁に衝突した電子は、二次電子を生じる。印加電圧により、電子は電子透過導管壁に到達し、それにより二次電子が発生する。これにより、電子輸送導管の伝播の方向に電子電流が形成される。
【０００４】
従来の装置は、開口を持つ中央プレートを有する、少なくとも3枚のプレート配置を有し、電子は、エレクトロルミネッセントスクリーンに向かって、中央プレートの選択開口を選択的に通過し、中央プレートの反対側に誘導される。
【０００５】
例えば、輸送導管のある部分に導入され、中央プレートの片側に誘導される電子電流は、2以上の開口を介して前記輸送導管の部分から出て、電子電流は、中央プレートの反対側に延びる輸送導管の別の部分の導入部に導かれ、その部分は、出口側で再度、2以上の出口開口を有し、電子電流は中央プレートの上記第1の側の輸送導管の他の部分に導かれる。このようにして、輸送導管の分岐のネットワークが構成される。
【０００６】
従来の装置では、輸送導管は3枚のプレートによって3枚のプレート内に定形される。輸送導管の次の部分は、中央プレートのいずれかの側に形成されることが好ましい。接続部は、中央プレートの選択開口によって形成される。そのような3枚のプレート配置には、極めて小型の電子輸送構造が得られるという利点がある。
【０００７】
しかしながら、発明者は、全般に輸送導管の指定位置から排出される電子電流の量が、輸送導管に導入された電流に比べて低下することを見出した。これは、表示スクリーンの画像品質の劣化につながる。
【特許文献１】米国特許第5,781,166号明細書
【発明の開示】
【発明が解決しようとする課題】
【０００８】
本発明の課題は、改善された画像特性を有する上述の種類の表示装置を提供することである。
【課題を解決するための手段】
【０００９】
この課題のため、本表示装置は、前記配置のプレートには作動時に電位を印加するためのリーク防止層が設けられ、前記電位は、前記中央プレートと隣接プレート間の電子のトンネル化を防止することを特徴とする。
【００１０】
電子導管が中央プレートのいずれかの側で交互に誘導される3枚のプレートの配置によって、作動の間、中央プレートに沿って電位が形成される。発明者は、この電位がプレート間をトンネルする電子を生じさせることを見出した。本発明の概念に含まれる「トンネル」は、通常、プレート間のクラックまたはスリットを介しての、意図しない電荷の輸送を意味する。
【００１１】
電子は例えば、選択電極、または隣接輸送導管にリークする。あるいは電位によって電界放出が生じて電子が(例えば電極から)形成され、別の電極や輸送導管に侵入する場合もある。
【００１２】
いずれの場合にも、これらの「トンネル」現象は多くの影響を及ぼす。まず、電子はプレート間をトンネルして消失するため、電流が消失する。またある電流は、意図されていない場合でも、ある状態の輸送導管の一部から、輸送導管のより高い状態の部分に進行する。さらにある電流は、選択電極に到達して、選択電極内に電流の流れを生じさせ、最終的には「意図した」電流消失とは別に、表示スクリーンに到達する電流の消失が生じる。電子がプレート間をトンネルし、閉じられているはずの輸送導管に進行することにより、スクリーンの意図しない位置に到達する電流が生じる。
【００１３】
電流消失および関連する影響は、ランダムな過程で生じ、比較的予測が難しい。しかしながら、本発明によるリーク防止層の利用は、電流消失の問題に対する有効な対策となる。そのような層には作動時に電位が印加され、電子のトンネル化を妨げる。
【００１４】
本発明の第1の実施例では、リーク防止層は、パッシブなリーク防止層によって形成される。本発明の概念の中で、「パッシブなリーク防止層」は、作動時に電源に接続されない層を有することが理解されるであろう。
【００１５】
第2の実施例では、リーク防止層はアクティブなリーク防止層によって形成され、本発明の概念の中で、「アクティブなリーク防止層」は、電源に接続された接続部を有する導電層を有することが理解されるであろう。これにより電子のトンネル現象に対する電位バリアが可能となる。
【００１６】
第1の実施例のパッシブなリーク防止層には、いったん設置すると、いかなる追加の電位を印加しないでも、それらの防止層が機能するという利点がある。そのようなパッシブなリーク防止層の欠点は、それらの防止層の機能があるチャージアップ効果に基づいており、機能発現までにある程度の時間がかかること、および材料固有の導電性によって、蓄積された電荷の一部がリークしてしまうことである。これにより（通常は非常に）小さなリークの影響が生じる。またパッシブなリーク防止層の「遮断能力」は、一旦設定して設置してしまうと、以降の自由度がないことである。
【００１７】
第2の実施例のアクティブ層には、自由度のあるバリアを形成することができるという利点があり、リーク電流をより効果的に防止することができる。しかしながら、アクティブ層には電位の印加が必要である。
【００１８】
本発明の範囲内で、単一の装置は両方の種類の層を有しても良い。
【発明を実施するための最良の形態】
【００１９】
本発明のこれらのおよび他の態様についての一例を、添付図面を参照して詳細に示す。
【００２０】
図面は概略的に示されており、通常スケールは示されていない。また通常、同じ参照符号は同じ部品を表している。
【００２１】
図1には、現在技術による表示装置1を示す。
【００２２】
この図は、米国特許第5,781,166号明細書の図2に一致し、それを参照することでさらに理解される。米国特許第5,781,166号明細書の内容は、参考のためこの明細書に添付されている。表示装置は、輸送導管（以降「電子導管」ともいう）のネットワーク10を有し、この導管はポイント13で分岐されている。ネットワーク10に導入される電子電流は、この場合、ポイント11に入った後、輸送導管14によって相互接続された多数の電子接合13（以降「電流接合」ともいう）を介して、出口12の方に導かれる。
【００２３】
前記電子接合13の各部では電子電流が各方向に誘導され、この例では2方向のいずれかに導かれる。電流接合はネットワーク10の節点とみなすことができる。この例では、出口は2または3次元の配列を構成し、ネットワークの節点もまた、2または3次元の配列を構成する。表示スクリーンに平行な面上の電子電流の放射を仮定した場合、電子電流の分布は2次元となる。電子が出口12を出たとき、電子は表示スクリーン15に向かう。表示装置自身は、真空外囲器に収容され、あるいは真空外囲器に含まれる。
【００２４】
図2Aには、分岐ネットワーク10の上面図を示す。電子電流は、8の電流接合23a乃至23hを介して、入口21から出口22、例えば12aに進行する。出口22は、2次元配列を構成し、電流接合も同様である。図2Bには、電流接合（この例では23f）のより詳細な図を示す。ネットワーク内の各電流接合または節点は、この例では、電子供給導管24aと、2の電子排出導管25、25bと、供給および排出導管間の接続部を形成する開口26aおよび26bと、制御電極27a、27bとを有する。制御電極は、接続開口26aまたは26bのそれぞれを介して、2の排出導管25aまたは25bのいずれかに電子を選択的に誘導するように活性化される。入口11から見た場合、電極上のバイアスは、出口22の方向に向かって増大する。
【００２５】
例えば、電流接合23aの前方にある電極の電圧は、入口11の前方の電圧よりも数十乃至数百ボルト高く、電流接合23bの前方の電極電位は、電流接合23aの前方の電極の電圧よりも数十乃至数百ボルト高く、以下同様である。これは結果的に、電流接合間で輸送導管を横断するように電場を印加することになり、該電場は、入口を介して進入した電子を、ネットワークを通って進行させる。電子電流は、通常のバイアス電圧よりも高い電圧を一方の電極に印加することによって制御され、他方の電極には、バイアス電圧よりも低いことが好ましい電圧が印加される。その結果、電子は、前記一方の電極と接続された排出導管に誘導される。ネットワーク内の節点または電流接合23には、入口21から数えた数が割り当てられ、その数は、関連する電流接合と入口に1を加えた数の範囲の、電流接合の数に一致する。図2Aでは、電流接合23aは一次の電流接合であり、電流接合23bは二次の電流接合であり、電流接合23fは六次の電流接合である。等しい次数の電流接合の電極が、相互接続されることが好ましい。それにより電気接点数は低減するからである。この例では、等しい次数の電流接合に接続された電極が、相互に接続される。例えば、電流接合23fの電極は、電流接合23f’の電極と接続される。図2Aでは、入口21を介して侵入した電流が、ネットワークを介して出口22aに誘導される経路は、太い線で示されている。全出口は、16×16＝256画素の配列によって形成される。各制御電極では、入口21を介してネットワークに侵入した電子電流強度を制御する必要があり、16の電極において、この配列を駆動する必要がある。制御電極の総数は17である。従来の表示装置における同様の画素配列は、32の制御電極（すなわち16+16）を有する。2nの画素配列の場合、従来の表示装置では、n+mの制御電極が必要となる。ここでn*m=2n、すなわちこれは、少なくとも2*2n/2である。一方、図1および2A、2Bに示す表示装置は（2n+1）の制御電極を有する。結果的に制御電極数は減少する。そのため、表示装置は比較的単純になる。図1および2A、2Bには、実施例を示す。入口開口からネットワークを通り対応する出口開口に至るまでの距離は、出口開口の各々において実質的に等しい。
【００２６】
ネットワークは出口数がnmに等しい場合、単純化される。ここでnは1よりも大きな整数であり、mは1よりも大きな整数である。ネットワークは、入口と各出口の間にmの節点を持つようにして、用いることができ、この場合、各接点は一つの供給導管とnの排出導管を有する。図の例の場合、nを2としている。しかし、2以上の排出導管を有する節点が、本発明の範囲に含まれることは明らかである。単位節点毎に2の排出導管があることは、ネットワークを2進コードで駆動することができ（2進コードを各画素に割り当てることができ）、節点を単純化できるため、有意である。
【００２７】
図3には、本発明による表示装置の好適実施例の細部を示す。図3には、3枚のプレート36、41、42によって構成される輸送導管を示す。中央プレート36は、上部（または底部）プレート41と底部プレート（または上部）プレート42の間に配置される。分岐ネットワークは、上部プレート41の輸送導管31a、b、および底部プレート42の輸送導管32a、32bによって構成される。
【００２８】
作動時には、電子は、上部プレート41の開口34を介して分岐ネットワークに侵入する。適切な電場の印加によって、電子は輸送導管31aを通っていずれかの方向に移動し、中央プレート36の開口35aのいずれかを通って底部プレート42の方向に抽出される。底部プレート42に到達した電子は、輸送導管32aのいずれかを通って、いずれかの方向にさらに進行する。
【００２９】
電子輸送は同様にして継続し、電子は中央プレート36の開口35bを連続的に通過し、輸送導管31bを通って誘導され、中央プレート36の開口35cを通過し、輸送導管41bを介して誘導される。輸送導管41bから電子は、底部プレート42の出口開口39を通り、その後表示スクリーン（図示されていない）の方向に加速される。
【００３０】
中央プレート36の開口35a、35b、35cは、電極（この図には示されていない）によって囲まれる。
【００３１】
図3に示す配置は、表示スクリーンの画像素子のタイルのいずれかの方向に電子ビームを誘導させる場合、特に適している。本発明の好適実施例では、表示スクリーンの画像素子は、例えば4×4または8×8のタイルにグループ化される。各タイルに対して、対応する分岐ネットワーク内を通る電子ビームが生じ、前記電子ビームは、各タイルのいかなる画像素子の方向にも誘導される。
【００３２】
図4A乃至4Cには本発明の基本原理を構成する3枚のプレートの配置を概略的に示す。中央プレート36は、プレート41と42の間にある。図4Aには、「理想」状態を示す。電子電流33は、プレートの開口（これはプレート36、41または42のいずれの開口であっても良い）を通って導入される。ここで前記プレート41および42は、電位を印加する電極が設けられた開口を有する。電子電流は、プレート36、41、42間に形成された輸送導管に沿って導入開口から出力開口に「ホップ」し、導入および出力開口の間にある選択開口を通り、選択的に誘導される。導入電流は出力電流と等しく、未選択の出力開口では、出力電流はゼロとなる。これが理想的な状態である。
【００３３】
しかしながら発明者は、常にこのようなことは生じないことを見出した。導入電流は常に出力電流と等しくなるとは限らず、未選択出力開口が残余電流を示すことがある。これは表示スクリーンの画像を劣化させる。
【００３４】
本発明の課題は画像の向上である。
【００３５】
図4Bには中央プレート36とプレート41および／または42の間に形成される隙間43を示す。発明者は、電子導管が中央プレートのいずれかの側で交互に誘導される、3枚のプレートの配置において、中央プレートの上部に、プレートに沿って電位が形成されることを見出した。プレート間に隙間またはスリットがある場合、プレート間で図4Bに示すような電子のトンネル現象が生じる。本発明の概念において「トンネル現象」とは、プレート間のクラックやスリットを介した電化の意図しない輸送をいう。
【００３６】
電子は、例えば電極あるいは隣接する輸送導管にリークする。（例えば電極からの）電界放射によっても、電子は放出され、別の電極または輸送導管に移行する。このトンネル化には多くの影響があり、例えば、電子がプレート間をトンネルして消失するため、電流が消失される。またある電流は、意図しない場合であっても、ある状態の輸送導管の一部から、より高い状態の輸送導管に移行し得る。さらにある電流は、選択電極に到達し、選択電極に電流が流れる場合もある。
【００３７】
さらに、「意図した」電流の消失、および表示スクリーンの意図した位置に到達する電流の消失とは別に、プレート間をトンネルした後、閉じるべき導管にまで流れ、意図しない位置でスクリーンに到達する電流も存在する。消失および関連の影響はランダムな過程で生じるため、比較的予想することが難しく、対応を難しくする。
【００３８】
この場合の試験の結果から、3枚のプレート配置において、第1の選択室または輸送導管から第2の高次の選択室または輸送導管の金属トラックまで、リーク電流が生じ得ることが示されている。これは、第2の高次の選択電極には、選択開口を通る電子を引き寄せるため、より高い電圧が必要であることに起因する。しかしながら、ガラスプレート間に小さな開口がある場合、電子は、図4bに示すように「短絡」することができる。これは、電流の一部が通過中に「消失」することを意味し、好ましい現象ではない。
【００３９】
本発明の基本概念を概略的に図4Cに示す。中央プレート36または隣接プレート41および／もしくは42のいずれか上にリーク防止層44を設置し、作動時に、配列されたプレート上にトンネル化防止電位を印加することで、中央プレートと隣接プレート間の隙間を通り、ある輸送導管から別の輸送導管に移行する電子のトンネル化を防止する。
【００４０】
ある実施例では、リーク防止層は、パッシブ層である。パッシブ層によって、作動時に、受動的な方法でトンネル防止電位を得る。プレート36、41および42の面する側は、ホッピング輸送の生じない位置を、非導電性の低二次放射（低δ、すなわち1未満の）コーティングで被覆する。低二次放射層は、電子が到達した際、素早く負の電荷を捕獲して、トンネル防止電位を構成する。これにより電子のホッピングが抑制される。
【００４１】
別の対応策として、選択電極の少なくともいくつかを、絶縁層、例えばガラス材料、SiO2、SiN等で被覆する。これにより、絶縁体に電荷および斥力を生じさせ、電子が金属トラックに到達することを回避し、トンネル化防止電位を構成することにより、電流リークを防止することができる。そのような1または2以上の層は、受動的な方法でトンネル化を防止し、すなわち電位は「自動的に」形成され、外部手段は不要である。
【００４２】
「パッシブ層」による対応の問題は、選択開口内および周囲の電極を、絶縁体で被覆することができないこと、あるいはそれら部分がチャージアップして、選択電極の機能を妨げることである。従って別のパターン転写、シャドウ蒸着、または転写プロセスが必要となる。
【００４３】
本発明の別の実施例では、リーク防止層は、アクティブなリーク防止層によって構成される。この防止層は、電源と接続された接続部を有する導電層であり、これにより電子のトンネル化に対する電位バリアが形成される。
【００４４】
そのような実施例では、リーク電流は、導電層によって防止され、この層は「ガード電極」と呼ばれる。これらのガード電極は、作動時には、1または2以上の電源に接続され、ガード電極には、最後の選択電極の電位よりも低い電位が印加される。これらの経路から迷走するいかなる電子も、ガード電極に印加されたガード電位によって意図した経路に戻される。これには少なくとも1の特別な金属トラックと、電位を印加する手段が必要である。
【００４５】
図5A乃至5Eおよび6A乃至6Eには、本発明の2実施例が示されており、ガード電極（eg）が用いられる。ガード電極は、構造化されたリーク防止層を構成する。図は以下のように調製されている。
【００４６】
図5Aおよび6Aには、輸送導管、選択室、選択電極およびガード電極の全体平面図を示す。これらの図では、一連の選択開口はa、b、c、dおよびeで示されている。aは第1の（入口）開口であり、eは最後の（出口）開口である。一連の開口を経由して、eに至る一つの可能な選択経路が、矢印によって概略的に示されている。ガード電極は矢印で示されている。図5Aおよび6Aでは、全ての相互位置関係が詳細に示されているが、これらの図は極めて複雑であり、図5C乃至5Eおよび6B乃至6Eに細部を示す。
【００４７】
図5Cおよび6Bには、輸送導管、選択室およびa乃至eの選択開口の配置を示す。さらにこれらの図には、可能な選択経路が示されている。電子流は開口aを介して進入した後、選択電極eb（図5C、6C参照）への適切な電位の印加によって、選択開口bを介して左または右のいずれか（図では左の経路）に誘導され、次の（2の選択開口cを有する）選択段階cに輸送導管を介して誘導され、（選択開口cを取り囲む選択電極ec（図5D、6D参照）に適切な電位を印加することにより、）上または下方向に（図では下方の経路に）誘導され、次の段階dに輸送導管を介して誘導され、適切な電位を選択電極ed（図5C、6C参照）に印加することにより、選択開口dを経由して左向きにまたは右向きに（図では左向きに）誘導され、最終的に適切な電位の印加によって、電極ee（図5E、6E参照）の出口開口eに誘導される。
【００４８】
図5Cおよび6Cには、選択電極eb（選択開口bの場合）およびed（選択開口dの場合）の配置を示す。これらの選択電極は、一つの面の片側に設けられる。図5Cでは、選択電極ebおよびedとは別の、他の電極組egが同じ表面上に設けられている。これらの電極は、電極dの電位よりも低い電位を印加した際に、ガード電極を構成し、これらのガード電極は、選択開口cを有する選択室において、「ホッピング」表面から電極dに至る電子に対する電位バリアを構成する。ある選択段階（段階c）から次の段階（段階d）への、プレート間にある隙間を通る意図しない電子のリークは、これにより防止できる。
【００４９】
図6Cでは、b-電極eb自身がガード電極として機能するように配置されている。この実施例では、第1の選択段階（b）の電極は、第2の選択段階（c）のガード電極として機能する。これにより印加に必要な電圧数が削減されるとともに、第1の選択を切り替えることで、第1の選択から第2の選択までの電子のホッピングに対して大きな効果が発揮される。これは本発明の好適実施例であって、電極は2重の機能、すなわち1または2以上の開口の近傍での選択電極の形成、および別のまたは他の位置でのリーク防止層（ガード電極）の形成、を奏するように配置される。これにより、電圧印加および電極に必要な接続の数が減少する。
【００５０】
図5Dおよび6Dには、c-選択開口用の選択電極ecを示す。これらの電極は、bおよびdの電極（図5C、6C）が配置された表面とは異なるプレートの一面に配置される。これらの図には、ガード電極egも示されており、これらの電極は、段階bからcへの電子の意図しないリークを防止する。
【００５１】
図5Eおよび6Eには、出口選択電極eeを示す。この電極は、出口電極の出口側近傍の一面に配置され、この面は、電極ebおよびedの面および電極ecの面とは異なる面である。
【００５２】
当然、異なる実施例を組み合わせることも有意である。これは特に、選択電極が電界エミッタとして作用する場合に有効である。ガード電極は、そのような電界エミッタによって放射される電子の、ある選択電極と次の選択電極の間のホッピングを防止することはできず、あるいは部分的にしか防止することができないからである。
【００５３】
上述の実施例では、ネットワークは2次元であり、出口は2次元配列を構成し、ネットワークの節点も2次元配列を構成する。ここで2次元という用語は、表示スクリーンに投射される側から見て、電流分布が2次元であることを意味することに留意する必要がある。本発明の上述の実施例によるネットワークは、節点で相互接続された電子導管を有する2次元電流分配器として示され、節点は、少なくとも1の入口と少なくとも2の出口導管の接合部を形成し、各接点では、導入導管を介して侵入する電子電流は、導入および排出導管に接続された開口によって、所望の排出導管に誘導される。
【００５４】
上述の実施例では、電子電流は、輸送導管間の経路とは別に、輸送導管内を水平および／または垂直方向に移動する。ただし本発明はこれらに限定されるものではない。ネットワークは、3次元にすることもでき、輸送導管は3以上の方向を有しても良い。実施例において、表示画像は2次元である。しかし本発明はこれに限定されるものではなく、表示画像は、3次元にすることもでき、例えばキューブの各側に表示させても良い。あるいは、画像を半球表面に表示することも可能である。輸送導管を有する各半球を、相互に上部に積層して、多数の半球を構成するようにネットワークを構成することも可能である。
【００５５】
請求項における「一つの」という言葉は、素子が複数存在する可能性を否定するものではない。例えば表示装置は、電子源からの電子を全表示スクリーンにわたって分配する単一の分岐ネットワークを有しても良い。しかしながら分岐ネットワークの数は、1よりも大きいことが好ましく、分岐ネットワークは、表示スクリーンの関連部分に電子を分配する。各分岐ネットワークは、自身の導入部を有し、対応する電子源を有する。
【００５６】
要約すると、表示装置（1）は、ルミネッセント表示スクリーン（15）と、電子を表示スクリーン（15）の方に誘導する手段とを有する。前記手段は少なくとも3枚のプレート（36、41、42）の配置を有し、中央プレート（36）は選択開口と、選択開口と対応した選択電極とを有する。選択開口、選択電極およびプレートは、電子源からの電子電流がエレクトロルミネッセントスクリーンの方に進行し、中央プレートの開口を選択的に通過して、中央プレートの反対側で交互に誘導されるように配置される。作動時にトンネル防止電位が印加されるリーク防止層（44、eg）がプレート上に提供され、このプレート配置によって、中央プレートと隣接プレート間の隙間を通る電子のリークが防止される。
【図面の簡単な説明】
【００５７】
【図１】現在の表示装置を示す図である。
【図２Ａ】図1の表示装置の細部の概略図である。
【図２Ｂ】図1の表示装置の細部の概略図である。
【図３】図1の装置に示されている3枚のプレートの配置図である。
【図４Ａ】本発明の基本原理である3枚のプレートの配置を示す概略図である。
【図４Ｂ】本発明の基本原理である3枚のプレートの配置を示す概略図である。
【図４Ｃ】本発明の基本原理である3枚のプレートの配置を示す概略図である。
【図５Ａ】本発明による表示装置の第1の実施例を示す図である。
【図５Ｂ】本発明による表示装置の第1の実施例を示す図である。
【図５Ｃ】本発明による表示装置の第1の実施例を示す図である。
【図５Ｄ】本発明による表示装置の第1の実施例を示す図である。
【図５Ｅ】本発明による表示装置の第1の実施例を示す図である。
【図６Ａ】本発明による表示装置の第2の実施例を示す図である。
【図６Ｂ】本発明による表示装置の第2の実施例を示す図である。
【図６Ｃ】本発明による表示装置の第2の実施例を示す図である。
【図６Ｄ】本発明による表示装置の第2の実施例を示す図である。
【図６Ｅ】本発明による表示装置の第2の実施例を示す図である。
【図１】
2006503412.tif 000003
2006503412.tif 000004
【図３】
2006503412.tif 000005
2006503412.tif 000006
2006503412.tif 000007
2006503412.tif 000008
2006503412.tif 000009
2006503412.tif 000010
2006503412.tif 000011
2006503412.tif 000012
2006503412.tif 000013
2006503412.tif 000014
2006503412.tif 000015
2006503412.tif 000016
【国際調査報告】
2006503412.tif 000017
2006503412.tif 000018